(57)【要約】【課題】通気透湿防水膜の耐水圧を高めるとともに、歩行や踏付けを利用して、排水や換気を効率的に行うことが可能な通気透湿防水靴の靴底構造部を提供する。【解決手段】通気透湿防水靴の靴底構造部１は、靴底３０と、中底１０と、通気透湿防水膜４０とを備える。靴底３０には、外側から内側まで貫通孔３１が形成されている。中底１０には、外側から内側まで貫通孔１１が形成されている。通気透湿防水膜４０は、靴底３０と中底１０との間に配置される。靴底３０の貫通孔３１と中底１０の貫通孔１１は対向しないように配置されている。この通気透湿防水靴の靴底構造部１は、さらに、靴底３０の一つの貫通孔３１と他の貫通孔３１とを連通する通路３２をさらに備える。通路３２は、靴底３０の側面において外部に開放されている。【選択図】図２
2015228991.tif 000002
【特許請求の範囲】
【請求項１】
外側から内側まで貫通孔が形成されている靴底と、
外側から内側まで貫通孔が形成されている中底と、
前記靴底と前記中底との間に配置される通気透湿防水膜とを備え、
前記靴底の貫通孔と前記中底の貫通孔は対向しないように配置され、
一つの前記貫通孔と他の前記貫通孔とを連通する通路をさらに備え、
前記通路は、前記靴底の側面において外部に開放されている、通気透湿防水靴の靴底構造部。
【請求項２】
前記通気透湿防水膜と前記靴底との間に配置される防水体を備え、
前記防水体は、外側から内側まで貫通孔が形成され、
前記防水体の貫通孔は、前記靴底の貫通孔と対向し、かつ、前記中底の貫通孔と対向するように配置されている、請求項１に記載の通気透湿防水靴の靴底構造部。
【請求項３】
前記通路は、靴底の中央部と比較して靴底の側面において、靴底の下面に近づくように形成されている、請求項１または請求項２に記載の通気透湿防水靴の靴底構造部。
【発明の詳細な説明】
【技術分野】
【０００１】
本発明は、一般的には靴の靴底構造に関し、特定的には、通気性および／または透湿性と、日常の靴の着用において必要とされる防水性とを兼ね備える靴底構造に関する。
【背景技術】
【０００２】
従来、靴の防水性や耐水性を高めるために、甲被の表材に、より防水性の高い素材や、より耐水性の高い素材を用いることが知られている。しかしながら、表材にこのような素材を用いると、靴内部の湿気を外部に排出しにくくなり、靴内部が蒸れる場合がある。
【０００３】
そこで、靴の防水性を損なわずに、靴内部を蒸れにくくするために、甲被の表材としては防水性のない素材を用い、甲被のライニング材として、通気透湿防水膜を用いることが知られている。靴の外部から浸入しようとする雨水等は、通気透湿防水膜よりも内部には浸入しない。一方、靴内部の湿気は、通気透湿防水膜を通って靴の外部に排出される。通気透湿防水膜の材質としては、例えば、ポリテトラフルオロエチレン多孔質フィルム、ウレタン系無孔質フィルム、ウレタン系多孔質フィルム、親水性ポリエステルフィルム等がある。
【０００４】
さらに、靴底（本底）に通気孔を開け、靴底と、靴底の内側の中底との間に通気透湿防水膜を配置して、甲被だけでなく、靴底からも靴内部の湿気を排出する靴も提案されている。
【０００５】
例えば、特開平１０−２３４４１４号公報（特許文献１）には、中底の踏付部に６０個の貫通孔がランダムに設けられ、靴底の踏付部には３０個の貫通孔が一定のピッチで形成された通気靴が記載されている。この通気靴では、中底と靴底との間には、透湿防水性能を有するシートが配置されている。
【０００６】
特開２０００−１６６６０６号公報（特許文献２）には、中底の踏付部には複数の貫通孔が設けられ、その下面には多数の貫通孔が形成された靴用通気部材が配置された通気靴が記載されている。この通気靴では、中底と靴用通気部材との間には、防水性通気シートが配置されている。
【０００７】
特開２０１０−５１０００９号公報（特許文献３）には、貫通孔の形成された中物芯層と、その下に配置される水蒸気透過性・液体不透過性薄膜と、有孔の保護層と、透湿性あるいは有孔の層状要素と、複数の貫通孔が設けられた設置体を備える靴が記載されている。
【０００８】
特開２０００−２３７０２号公報（特許文献４）には孔と選択的に空気は透過するが水が透過しない手段とを有する靴底からなる蒸散靴底構造が記載されている。孔は、靴底の外側端縁部の全部または一部に沿って開口する。孔の開口の内側には、選択的に空気は透過するが水が透過しない材料で形成されたストリップが貼り付けされている。
【０００９】
なお、特開２００２−１０８０１号公報（特許文献５）には、通気透湿防水膜を備えていないが、靴底内に、靴内と靴底外とを連絡する複数に分岐する換気経路が形成されている靴が記載されている。換気経路には逆止弁が配置されている。
【先行技術文献】
【特許文献】
【００１０】
【特許文献１】特開平１０−２３４４１４号公報
【特許文献２】特開２０００−１６６６０６号公報
【特許文献３】特開２０１０−５１０００９号公報
【特許文献４】特開２０００−２３７０２号公報
【特許文献５】特開２００２−１０８０１号公報
【発明の概要】
【発明が解決しようとする課題】
【００１１】
しかしながら、特許文献１〜特許文献３の通気靴では、透湿防水性を有するシート（防水性通気シート）を挟んで、靴の内側（足裏側）の通気用の貫通孔と、靴の外側（靴底側）の通気用の貫通孔とが対向するように貫通孔が形成された場合に、透湿防水性を有するシートが破損しやすくなる。すなわち、靴底側の通気用の貫通孔には、靴底の外側から、空気だけでなく、水も流入する。貫通孔に流入した水は、歩行や踏み付けによって透湿防水性を有するシートに大きな水圧を加え、透湿防水性を有するシートの耐水性を損なう場合がある。
【００１２】
また、特許文献４の蒸散靴底構造では、多数の孔の開口の内側に、選択的に空気は透過するが水が透過しない材料で形成されたストリップを貼り付ける必要がある。このストリップは、歩行や靴の踏みつけによる変形が繰り返されると、破損する場合がある。
【００１３】
そこで、この発明の目的は、通気透湿防水膜の耐水圧を高めるとともに、歩行や踏付けを利用して、排水や換気を効率的に行うことが可能な通気透湿防水靴の靴底構造部を提供することである。
【課題を解決するための手段】
【００１４】
この発明に従った通気透湿防水靴の靴底構造部は、靴底と、中底と、通気透湿防水膜とを備える。靴底には、外側から内側まで貫通孔が形成されている。中底には、外側から内側まで貫通孔が形成されている。通気透湿防水膜は、靴底と中底との間に配置される。靴底の貫通孔と中底の貫通孔は対向しないように配置されている。この通気透湿防水靴は、さらに、靴底の一つの貫通孔と他の貫通孔とを連通する通路をさらに備える。通路は、靴底の側面において外部に開放されている。
【００１５】
この発明に従った通気透湿防水靴の靴底構造部は、通気透湿防水膜と靴底との間に配置される防水体を備え、防水体は、外側から内側まで貫通孔が形成され、防水体の貫通孔は、靴底の貫通孔と対向し、かつ、中底の貫通孔と対向するように配置されていることが好ましい。
【００１６】
この発明に従った通気透湿防水靴の靴底構造部においては、通路は、靴底の中央部と比較して靴底の側面において、靴底の下面に近づくように形成されていることが好ましい。
【発明の効果】
【００１７】
この発明によれば、通気透湿防水膜の耐水圧を高めるとともに、歩行や踏付けを利用して、排水や換気を効率的に行うことが可能な通気透湿防水靴の靴底構造部を提供することができる。
【図面の簡単な説明】
【００１８】
【図１】本発明の一つの実施形態の通気透湿防水靴の中底（Ａ）、ラバー（Ｂ）、靴底（Ｃ）の全体を模式的に示す平面図である。
【図２】本発明の一つの実施形態の通気透湿防水靴の靴底構造部の全体を模式的に示す足裏側から見た平面図（Ａ）と、図２の（Ａ）に示すＢ−Ｂ線の方向から見た断面図（Ｂ）と、図２の（Ａ）に示すＣ−Ｃ線の方向から見た断面図（Ｃ）である。
【図３】靴底構造部内の空気の流れを模式的に示す図（Ａ）と、靴底構造部内の水の流れを模式的に示す図（Ｂ）である。
【図４】歩行時において、靴底構造部の踏み付けがされていない状態を模式的に示す図（Ａ）と、靴底構造部の踏み付けがされている状態を模式的に示す図（Ｂ）である。
【図５】本発明の別の実施形態の通気透湿防水靴の靴底構造部の全体を模式的に示す断面図である。
【発明を実施するための形態】
【００１９】
以下、本発明の実施の形態を図面に基づいて説明する。なお、以下の説明において、「表側」「裏側」という用語は、特に説明しない限り、それぞれ、靴の外側、靴の内側を意味するものとする。
【００２０】
図１に示すように、本発明の一つの実施形態の通気透湿防水靴の靴底は、中底１０と、防水体としてラバー２０と、靴底３０と、後述する通気透湿防水膜とが積層されて構成されている。
【００２１】
中底１０は、甲被の一部として、あるいは、甲被とは別個に、甲被と同様の材質によって構成される。例えば、人工皮革、合成皮革、天然皮革等の皮革や、ポリウレタンシート、ＥＶＡ（エチレンビニルアルコール）シート、ＰＶＣ（ポリ塩化ビニル）シート、ゴムシート等のシート状に形成された素材や、ポリエステル繊維、ナイロン繊維、ポリプロピレン繊維、冷感繊維や和紙などの指定外繊維を用いた織物や編物等によって形成されている。中底１０において、土踏まずから足指の付け根が当たる部分までの領域には、複数の貫通孔１１が形成されている。貫通孔１１は、中底１０の表側から裏側までを貫通している。
【００２２】
ラバー２０は、この実施形態においては、ゴムで形成されている。ラバー２０は、ゴムの他、例えば、ポリウレタン、ＥＶＡ、ＴＰＵ（熱可塑性ポリウレタン組成物）のようなウレタン系の樹脂等の樹脂を繊維構造物に含浸したり、甲被と同様の材質上に被膜することによって形成されてもよく、防水性を有していればよい。ラバー２０には、土踏まずから足指の付け根が当たる部分までの領域には、複数の貫通孔２１が形成されている。貫通孔２１は、ラバー２０の表側から裏側までを貫通している。貫通孔２１の平面形状は、例えば長円形状や長方形状であり、中底１０の貫通孔１１よりも大きく形成されている。
【００２３】
靴底３０は、靴の外底として公知な材質によって形成される。靴底３０において、土踏まずから足指の付け根が当たる部分までの領域には、複数の貫通孔３１が形成されている。貫通孔３１は、靴底３０の表側から裏側までを貫通している。また、貫通孔３１は、通路３２によって連通されている。通路３２は、靴底３０の側面において外部に開放されている。
【００２４】
図２に示すように、中底１０と通気透湿防水膜４０とラバー２０と靴底３０とは、中底１０が靴の内側（足裏側）に、靴底３０が靴の外側になるように積層されて、靴底構造部１を形成する。
【００２５】
通気透湿防水膜１４は、例えば、ポリテトラフルオロエチレン多孔質フィルム、ウレタン系無孔質フィルム、ウレタン系多孔質フィルム、親水性ポリエステルフィルム等のフィルム状に形成された素材や、ポリエチレン、ポリプロピレン、ポリエステル等からなる不織布、メルトブローン不織布によって形成されている。特に、ポリエチレン、ポリプロピレン、ポリエステル等からなる不織布、メルトブローン不織布は、通気性がよい。通気透湿防水膜４０は、少なくとも通気性または透湿性と、防水性とを有していればよく、より好ましくは、通気性と透湿性とを有し、さらに防水性を兼ね備えているものである。また、このような通気透湿防水素材には、例えばポリウレタンやセルロースのナノファイバーが用いられていてもよい。ナノファイバーを用いた通気透湿防水素材を構成することによって、メルトブローン不織布を用いた通気透湿防水素材の内装体の場合と比較して、通気性を保ちつつ耐水圧や耐屈曲性を高めることができる。また、ナノファイバーを用いた通気透湿防水素材は、伸びがよく、伸びても性能が変化しにくく、ソフトで、製靴の際にシワが入りにくく仕上がりが固くなりにくい。特に、ポリウレタンのナノファイバーを用いた通気透湿防水素材は、伸び、屈曲性、耐久性に優れている。
【００２６】
中底１０と通気透湿防水膜４０とラバー２０と靴底３０とが積層されると、中底１０の貫通孔１１とラバー２０の貫通孔２１とが、通気透湿防水膜４０を挟んで対向する。また、靴底３０の貫通孔３１とラバー２０の貫通孔２１とが対向する。一方、中底１０の貫通孔１１は、靴底３０の貫通孔３１とは対向しない。通気透湿防水膜４０は、中底１０の貫通孔１１の下面を閉塞し、ラバー２０の貫通孔２１の上面を閉塞している。
【００２７】
図３の（Ａ）に示すように、靴底構造部１の内部には、矢印で示すように空気が流れる。すなわち、靴の内部の空気は、中底１０の貫通孔１１、通気透湿防水膜４０、ラバー２０の貫通孔２１を通って、靴底３０の貫通孔３１内に流入する。靴底３０の貫通孔３１は、通路３２によって連通されており、また、通路３２は靴底３０の側面において外部に開放されているので、貫通孔３１内に流入した空気は、通路３２を通って外部に放出される。また、貫通孔３１の下面は靴底の底部において開放されているので、貫通孔３１内に流入した空気は、貫通孔３１の下面からも靴の外部に放出される。また、靴底構造体１の外部の空気は、逆に、貫通孔３１および／または通路３２、ラバー２０の貫通孔２１、通気透湿防水膜４０、中底１０の貫通孔１１を通って靴の内部に流入する。
【００２８】
図３の（Ｂ）に示すように、靴底構造部１の内部には、矢印で示すように水が流れる。すなわち、雨水のような、靴の外部の水は、靴底３０の貫通孔３１の下面や通路３２の開口部から靴底３０の内部とラバー２０の貫通孔２１の内部には流入する。しかしながら、ラバー２０の貫通孔２１の上面を通気透湿防水膜４０が閉塞しているので、中底１０の貫通孔１１内には、水は流入しない。
【００２９】
図４に示すように、歩行時において、靴底構造部の踏み付けがされていない状態（Ａ）から、靴底構造部の踏み付けがされている状態（Ｂ）に移ると、通気透湿防水膜４０の下面と靴底３０の上面との間に形成された、ラバー２０の貫通孔２１内の空間が押しつぶされる。この時、ラバー２０の貫通孔２１や靴底３０の貫通孔３１と通路３２内に雨水等の水があれば、水は、靴底３０の貫通孔３１の下面と、通路３２の開口から靴底の外部に流出する。また、靴底３０内に水が無い状態では、ラバー２０の貫通孔２１や靴底３０の貫通孔３１と通路３２内の空気が押し出される。そして、ラバー２０の貫通孔２１内の空間が押しつぶされた後、靴底構造部の踏み付けがされていない状態（Ａ）に戻る時に、靴の外部の空気が靴底構造部１内に流入する。
【００３０】
以上のように、通気透湿防水靴の靴底構造部１は、靴底３０と、中底１０と、通気透湿防水膜４０とを備える。靴底３０には、外側から内側まで貫通孔３１が形成されている。中底１０には、外側から内側まで貫通孔１１が形成されている。通気透湿防水膜４０は、靴底３０と中底１０との間に配置される。靴底３０の貫通孔３１と中底１０の貫通孔１１は対向しないように配置されている。この通気透湿防水靴の靴底構造部１は、さらに、靴底３０の一つの貫通孔３１と他の貫通孔３１とを連通する通路３２をさらに備える。通路３２は、靴底３０の側面において外部に開放されている。
【００３１】
靴底３０の貫通孔３１が靴底３０の底面において開口しており、かつ、貫通孔３１と連通する通路３２が靴底３０の側面において開放されていることによって、靴底３０の底面または側面のいずれか一方のみにおいて靴底３０の内部が外部と連通している場合と比較して、排水や換気を効率的に行うことができる。
【００３２】
靴底３０の底面において貫通孔３１が開口しているため、雨水等の靴底３０の外部の水が貫通孔３１の内部に入りやすい。しかしながら、中底１０の貫通孔１１と靴底３０の貫通孔３１との間に通気透湿防水膜４０を配置することによって、１つ１つの貫通孔１１の開口を防水したり、逆止弁を設けたりすることなく、簡易な構造で、効率的に、靴内部の防水を確保することができる。
【００３３】
また、靴底３０の貫通孔３１の内部が、靴底３０の底面においても、通路３２を介して側面においても、靴底３０の外部と連通しているため、貫通孔３１の内部には雨水等の水が入りやすく、また、入り込む水の量も多くなりやすい。しかしながら、中底１０の貫通孔１１と、靴底３０の貫通孔３１とを対向しないように配置することによって、中底１０の貫通孔１１と靴底３０の貫通孔３１との間に挟まれる通気透湿防水膜４０に大きな水圧がかかることを防ぎ、通気透湿防水膜４０の破損を防ぐことができる。
【００３４】
以上のように、通気透湿防水靴の靴底構造部１によれば、通気透湿防水膜４０の耐水圧を高めるとともに、歩行や踏付けを利用して、排水や換気を効率的に行うことが可能となる。
【００３５】
また、靴底構造部１は、通気透湿防水膜４０と靴底３０との間に配置される防水体としてラバー２０を備え、ラバー２０は、外側から内側まで貫通孔２１が形成され、ラバー２０の貫通孔２１は、靴底３０の貫通孔３１と対向し、かつ、中底１０の貫通孔１１と対向するように配置されている。
【００３６】
このようにすることにより、歩行時の踏みつけによってラバー２０の貫通孔２１がポンプのように変形し、水の排出と換気を効果的に行うことができる。
【００３７】
また、図５に示すように、通路３３の形状を変更することも可能である。図５に示す靴底構造部２では、通路３３は、靴底３０の中央部と比較して靴底３０の側面において、靴底３０の下面に近づくように形成されている。
【００３８】
このようにすることにより、靴底３０内に溜まった水をより効率よく排出することが可能になる。
【００３９】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【００４０】
１，２：靴底構造部、１０：中底、１１：貫通孔、２０：ラバー、２１：貫通孔、３０：靴底、３１：貫通孔、３２，３３：通路、４０：通気透湿防水膜。
【図１】
2015228991.tif 000003
【図２】
2015228991.tif 000004
【図３】
2015228991.tif 000005
【図４】
2015228991.tif 000006
【図５】
2015228991.tif 000007